(57)【要約】【課題】カウンタを簡単且つ強固に壁に取付けることができ、また壁にうねりがある場合にも対応できるカウンタの取付構造を提供する。【解決手段】筒状のカウンタ支持具３の外周面に引掛溝８を形成する。引掛溝８を溝奥側の嵌込部８ａと溝手前側のガイド部８ｂとで構成する。軸部２ａの一端部にワッシャ１７を設けた固着具２をカウンタ支持具３に挿通して壁４に固着する。固着具２でカウンタ支持具３を壁４とワッシャ１７の間の範囲内で移動自在に支持する。カウンタ支持具３と壁４の間及びカウンタ支持具３とストッパ部の間の夫々に配置したばね材１６ａ、１６ｂにより、カウンタ支持具３を固着具２の軸方向に移動可能に保持する。カウンタ支持具３を壁４に横一列に複数並設する。カウンタ１の後部５の各係合孔６の孔縁部１９を各カウンタ支持具３の引掛溝８の嵌込部８ａに嵌め込む。【選択図】図１
2008029425.tif 000002
【特許請求の範囲】
【請求項１】
軸方向に貫通孔を形成した筒状のカウンタ支持具の外周面に引掛溝を形成し、該引掛溝を溝奥側の嵌込部と嵌込部よりも溝幅が大きい溝手前側のガイド部とで構成し、ガイド部の両内側面を嵌込部側に行く程に引掛溝の幅方向の内側に位置するようなガイド面とし、軸部の一端部に貫通孔よりも大径のストッパ部を設けた固着具の軸部をカウンタ支持具の貫通孔に挿通して壁に固着すると共に、壁からストッパ部までの間隔を貫通孔の長さ寸法よりも長くし、該固着具の軸部でカウンタ支持具を壁とストッパ部の間の範囲内で固着具の軸方向に移動自在に支持し、カウンタ支持具と壁の間及びカウンタ支持具とストッパ部の間の夫々に配置したばね材により、カウンタ支持具を固着具の軸方向に移動可能に保持し、このように固着具及びばね材により支持されたカウンタ支持具を壁に横一列に複数並設し、カウンタの後部に複数形成した係合孔の上側の孔縁部を前記各カウンタ支持具の引掛溝の嵌込部に嵌め込むと共に同孔縁部を嵌込部の底部に載置したことを特徴とするカウンタの取付構造。
【請求項２】
前記カウンタの後端部に後方に開口する凹部を形成し、該凹部の底面部に前記各係合孔を形成し、該凹部内に前記各カウンタ支持具を収納したことを特徴とする請求項１に記載のカウンタの取付構造。
【発明の詳細な説明】
【技術分野】
【０００１】
本発明は壁に取付けられるカウンタの取付構造に関する。
【背景技術】
【０００２】
従来、カウンタを建物の部屋の壁に取付ける場合、例えば特許文献１のようにカウンタ支持具を壁に取付け、該カウンタ支持具に形成した後方に開口する差込溝にカウンタの後端部を差し込み、この差込溝に差し込んだカウンタの後端部をビスによりカウンタ支持具に固定していた。しかしこの取付構造では、カウンタ支持具にビスでカウンタを固定する作業が面倒である。
【０００３】
また図４に示す取付構造では、軸方向の一端部にフランジ部３ｂを形成した筒状のカウンタ支持具３にビスのような固着具２を挿通して壁４に固着し、このカウンタ支持具３を同様に壁４に横一列に複数並べて設ける。そして図５に示すようにカウンタ１の後部５に係合孔６を横一列に複数形成し、各係合孔６の上側の孔縁を各カウンタ支持具３のフランジ部３ｂと壁４の間に形成された引掛溝８に係合し、これによりカウンタ１がカウンタ支持具３から脱落することを防止した状態で、各カウンタ支持具３の引掛溝８の底部上に係合孔６の孔縁を載置する。従ってこの取付構造ではカウンタ１の後部５の各係合孔６をカウンタ支持具３によって形成された引掛溝８に引っ掛けるだけでカウンタ１を取付けることができて取付作業が容易である。
【０００４】
ところで上記カウンタ支持具３が取付けられる壁４の面４ａは通常平面視で曲がりくねって完全な直線状とはなっておらず、「うねり」が生じている。この壁面４ａの「うねり」が大きい壁４に上記のようにカウンタ支持具３を取付けた場合、図６のようにカウンタ支持具３が平面視で一直線状とならず、全てのカウンタ支持具３の引掛溝８にカウンタ１の係合孔６を引っ掛けられないことがある。従来ではこの場合、図７のように壁４と任意のカウンタ支持具３の間にスペーサ２５を配置し、これによりカウンタ支持具３を平面視で横一直線状に配置していたのだが、このようにスペーサ２５を使ってカウンタ支持具３の位置を調整する作業は非常に面倒でありまた難しい。さらにはこのスペーサ２５では壁面４ａのわずかなうねりに対応できず、このため係合孔６と引掛溝８を係合可能とするには引掛溝８の溝幅をかなり大きくする必要があり、この場合は係合孔６と引掛溝８の係合が不十分なものとなる。
【特許文献１】特開２００５−１７７２１６号公報
【発明の開示】
【発明が解決しようとする課題】
【０００５】
本発明は上記従来の問題点に鑑みて発明したものであって、カウンタの後部に形成した各係合孔を各カウンタ支持具の引掛溝に引っ掛けるだけでカウンタを簡単且つ強固に壁に取付けることができ、また壁にうねりがある場合にも係合孔を引掛溝に確実に係合できるカウンタの取付構造を提供することを課題とするものである。
【課題を解決するための手段】
【０００６】
上記課題を解決するために本発明に係るカウンタの取付構造は、軸方向に貫通孔７を形成した筒状のカウンタ支持具３の外周面に引掛溝８を形成し、該引掛溝８を溝奥側の嵌込部８ａと嵌込部８ａよりも溝幅が大きい溝手前側のガイド部８ｂとで構成し、ガイド部８ｂの両内側面を嵌込部８ａ側に行く程に引掛溝８の幅方向の内側に位置するようなガイド面９とし、軸部２ａの一端部に貫通孔７よりも大径のストッパ部（実施例ではワッシャ１７）を設けた固着具２の軸部２ａをカウンタ支持具３の貫通孔７に挿通して壁４に固着すると共に、壁４からストッパ部までの間隔を貫通孔７の長さ寸法よりも長くし、該固着具２の軸部２ａでカウンタ支持具３を壁４とストッパ部の間の範囲内で固着具２の軸方向に移動自在に支持し、カウンタ支持具３と壁４の間及びカウンタ支持具３とストッパ部の間の夫々に配置したばね材１６ａ、１６ｂにより、カウンタ支持具３を固着具２の軸方向に移動可能に保持し、このように固着具２及びばね材１６ａ、１６ｂにより支持されたカウンタ支持具３を壁４に横一列に複数並設し、カウンタ１の後部５に複数形成した係合孔６の上側の孔縁部１９を前記各カウンタ支持具３の引掛溝８の嵌込部８ａに嵌め込むと共に同孔縁部１９を嵌込部８ａの底部に載置したことを特徴とするものである。
【０００７】
上記カウンタ１の取付構造にあっては、カウンタ支持具３を固着具２の軸部２ａで支持すると共に両側のばね材１６ａ、１６ｂのばね力により保持し、このカウンタ支持具３の引掛溝８の嵌込部８ａに係合孔６の上側の孔縁部１９を係止でき、これによりカウンタ１の後部５に形成した各係合孔６を各カウンタ支持具３の引掛溝８に引っ掛けるといった簡単な取付方法にも関わらず、強固にカウンタ１を壁４に取付けることができる。また壁４にうねりがある場合には壁４に沿って一直線状に各カウンタ支持具３を取付けることができないが、このようなカウンタ支持具３の引掛溝８にカウンタ１の係合孔６の孔縁部１９を上方から挿入した場合、係合孔６の孔縁部１９によって引掛溝８のガイド面９が押され、これによりカウンタ支持具３は引掛溝８の嵌込部８ａが固着具２の軸方向においてカウンタ１の後部５と重複するように各ばね材１６ａ、１６ｂに抗して移動する。従って係合孔６の孔縁部１９を引掛溝８に挿入する際には該孔縁部１９がガイド部８ｂの両側のガイド面９によってガイドされて嵌込部８ａに確実に嵌め込むことができ、壁４にうねりがある場合にも各係合孔６と各引掛溝８の嵌込部８ａを確実に係合できる。
【０００８】
また前記カウンタ１の後端部に後方に開口する凹部１５を形成し、該凹部１５の底面部に前記各係合孔６を形成し、該凹部１５内に前記各カウンタ支持具３を収納することも好ましい。カウンタ支持具３をカウンタ１の凹部１５内に収納してカウンタ支持具３が露出しないようにできる。
【発明の効果】
【０００９】
請求項１に係る発明では、カウンタの後部に形成した各係合孔を各カウンタ支持具の引掛溝に引っ掛けるだけでカウンタを簡単且つ強固に壁に取付けることができ、また壁にうねりがある場合には、係合孔の孔縁部を引掛溝に挿入する際に該孔縁部がガイド部の両側のガイド面によってガイドでき、該孔縁部を嵌込部に確実に嵌め込むことができ、このように壁にうねりがある場合にも各係合孔と各引掛溝の嵌込部を確実に係合できる。
【００１０】
また請求項２に係る発明では、請求項１に係る発明の効果に加えて、カウンタ支持具が露出せず、外観が良くなる。
【発明を実施するための最良の形態】
【００１１】
以下、本発明を添付図面に示す実施形態に基づいて説明する。図１に示す本実施形態のカウンタの取付構造では、ビスのような固着具２により筒状のカウンタ支持具３を浴室等の部屋の壁４に複数取付け、この複数のカウンタ支持具３にカウンタ１の後部５に形成した各係合孔６を引っ掛けて取付ける。
【００１２】
図２に示すようにカウンタ支持具３は円筒状の筒部３ａで主体を構成している。筒部３ａの内側には軸方向に貫通する貫通孔７を形成してあり、貫通孔７の径はビスからなる固着具２の軸部２ａの径よりも大きい。筒部３ａの軸方向の中間部には外方に向けて一体に突出するフランジ部３ｂを全周に亘って形成してあり、このようにフランジ部３ｂを設けた筒部３ａでカウンタ支持具３を構成している。
【００１３】
フランジ部３ｂの外周端面には引掛溝８を全周に亘って形成してあり、引掛溝８の溝底と筒部３ａの外周面はカウンタ支持具３の径方向において同レベルに位置している。引掛溝８は溝奥側の嵌込部８ａと嵌込部８ａよりも溝幅が大きい溝手前側のガイド部８ｂとで構成されている。嵌込部８ａは溝幅を溝の深さ方向に関わらず一定の寸法としてあるが、ガイド部８ｂは両内側面を嵌込部８ａ側に行く程に引掛溝８の幅方向の内側に位置するように傾斜したガイド面９としてあり、ガイド部８ｂの溝幅は嵌込部８ａ側に行く程に徐々に幅狭になっている。
【００１４】
一方、カウンタ１は図１に示すように薄板状で内部は中空であり、この中空部１０の上面、下面、前面、後面はカウンタ１の上部１１、下部１２、前部１３、後面５の夫々の内面で構成している。カウンタ１の後部５にはカウンタ支持具３の引掛溝８に係合可能な係合孔６を複数形成してあり、図示は省略するがこれら複数の係合孔６はカウンタ１の後部５に横一列に複数並べて形成されている。本実施形態ではカウンタ１の上部１１の後端部及び下部１２の後端部を後部５よりも後方に同寸法突出することで、カウンタ１の後端部に後方に開口するコ字状の凹部１５を形成してあり、この凹部１５の底面部に各係合孔６を形成している。
【００１５】
各係合孔６は図３に示すようにだるま状の孔からなる。即ち各係合孔６は上部の小径部６ａと小径部６ａよりも径の大きい大径部６ｂからなり、大径部６ｂは小径部６ａに連通している。各係合孔６の大径部６ｂの径はカウンタ支持具３のフランジ部３ｂの外径よりも大きくカウンタ支持具３を挿通可能にしてあり、また小径部６ａの径はカウンタ支持具３の筒部３ａの外径と略同じにしている。
【００１６】
カウンタ１を壁４に取付けるには、まず壁４に複数のカウンタ支持具３を横一列に並べて取付ける。ここで各カウンタ支持具３の壁４への取付けには、図２に示すようにビスからなる固着具２と、コイルばねからなる２つのばね材１６ａ、１６ｂと、固着具２の軸部２ａの頭部２ｂ側の端部に設けられるワッシャ１７を用いる。なお本実施形態ではこのワッシャ１７でストッパ部を構成してあり、該ワッシャ１７は外径がカウンタ支持具３の筒部３ａの外径よりも大径であり、また内径が筒部３ａの外径や固着具２の頭部２ｂの外径よりも小径である。
【００１７】
上記固着具２、ばね材１６ａ、１６ｂ、ワッシャ１７を用いて各カウンタ支持具３を壁４に取付ける場合、まずカウンタ支持具３のフランジ部３ｂから両外側に突出した筒部３ａの両端部の夫々をコイルばねからなる各ばね材１６ａ、１６ｂの内側に挿入し、各ばね材１６ａ、１６ｂの一端側を筒部３ａの端面よりも軸方向の外側に突出した状態とする。次いで固着具２の軸部２ａをストッパ部を構成するワッシャ１７の中央孔に挿通した後、カウンタ支持具３の貫通孔７に一端側から挿通する。そしてこの固着具２の頭部２ｂを図示しないドライバ等により回転操作することで、該固着具２の頭部２ｂで壁４と反対側のばね材１６ｂの一端に当接したワッシャ１７を両ばね材１６ａ、１６ｂのばね力に抗して壁４側に移動しつつ、貫通孔７の他端から突出した固着具２の軸部２ａの先部を壁４に固着して図２の取付状態とする。
【００１８】
ここで上記固着具２を壁４に固着する際には、図２に示す固着状態で壁４からワッシャ１７までの間隔Ｌ１が貫通孔７の長さ寸法Ｌ２（即ちカウンタ支持具３の軸方向の長さ寸法）よりも長くなるように軸部２ａの壁４へのねじ込み深さを設定し、これによりカウンタ支持具３を固着具２の軸部２ａにより壁４とワッシャ１７の間の範囲内で図２の矢印イに示す固着具２の軸方向に移動自在となるように支持する。また同時にカウンタ支持具３のフランジ部３ｂと壁４の間及び同フランジ部３ｂとワッシャ１７の間の夫々に配置されたばね材１６ａ、１６ｂのうち、壁４側のばね材１６ａの一端は壁４に弾接すると共に他端はフランジ部３ｂに弾接し、また壁４と反対側のばね材１６ｂの一端はワッシャ１７に弾接すると共に他端はフランジ部３ｂに弾接し、これによりカウンタ支持具３を各ばね材１６ａ、１６ｂのばね力により前記固着具２の軸方向の移動範囲内における中間位置に保持し、カウンタ支持具３と壁４の間及びカウンタ支持具３とワッシャ１７の間に隙間１８を形成する。即ちカウンタ支持具３は図２に示すように外力が加えられていない状態ではばね材１６ａ、１６ｂにより前記移動範囲内における中間位置に保持され、また各ばね材１６ａ、１６ｂのばね力に抗して固着具２の軸方向の力を加えた場合に壁４側と壁４と反対側に移動できるようになっている。
【００１９】
そして上記複数のカウンタ支持具３に図１に示すようにカウンタ１を取付ける。この取付けは、カウンタ１の後端（上部１１及び下部１２の夫々の後端）が壁４に当たるまで壁４側に移動し、各係合孔６の大径部６ｂ部に対応するカウンタ支持具３を挿通し、この後、各カウンタ支持具３を各係合孔６の大径部６ｂから小径部６ａに移動し、各カウンタ支持具３の引掛溝８の嵌込部８ａに各係合孔６の小径部６ａの上側の孔縁部１９を嵌め込んで係合すると共に、同孔縁部１９の下端を引掛溝８の溝底上に載置し、これによりカウンタ１を複数のカウンタ支持具３によって支持する。この場合、カウンタ支持具３のカウンタ１の後部５よりも後方に突出した部分（即ち引掛溝８よりも壁４側の部分）はカウンタ１の凹部１５内に収納されるので、カウンタ支持具３が露出せず外観が良い。
【００２０】
上記カウンタ１の取付構造にあっては、カウンタ支持具３が固着具２の軸部２ａに支持されると共に両側のばね材１６ａ、１６ｂのばね力により保持され、このように保持されたカウンタ支持具３の引掛溝８に係合孔６の孔縁部１９を係止でき、これによりカウンタ１の後部５に形成した各係合孔６を各カウンタ支持具３の引掛溝８に引っ掛けるといった簡単な取付方法にも関わらず、強固にカウンタ１を壁４に取付けることができる。
【００２１】
また図６のようにうねりが大きい壁４に図２に示すように本発明の各カウンタ支持具３を取付けた際には各カウンタ支持具３が平面視で一直線状とならない場合があるが、本発明ではこの場合も以下に示すように各係合孔６と各引掛溝８をしっかりと係合できるようになっている。
【００２２】
即ち上記のように壁４に沿って一直線状に配置されていない各カウンタ支持具３の引掛溝８にカウンタ１の各係合孔６を引っ掛ける場合、引掛溝８の嵌込部８ａがカウンタ１の後部５よりも壁４側や壁４と反対側にずれたカウンタ支持具３が存在するが、このようなカウンタ支持具３の引掛溝８にカウンタ１の係合孔６の孔縁部１９（小径部６ａの孔縁部１９）を上方から挿入した場合、該孔縁部１９によって引掛溝８のガイド面９が押され、これによりカウンタ支持具３は引掛溝８の嵌込部８ａが固着具２の軸方向においてカウンタ１の後部５と重複する位置となるように各ばね材１６ａ、１６ｂに抗して移動する。従って係合孔６の孔縁部１９を引掛溝８に挿入する際には該孔縁部１９がガイド部８ｂの両側のガイド面９によってガイドされて嵌込部８ａに確実に嵌め込まれることとなり、壁４にうねりがある場合にも各係合孔６と各引掛溝８の嵌込部８ａをしっかりと係合できる。なおこのよういに壁４にうねりがある場合には、カウンタ１の後端は左右方向の一部のみが壁４に当たることとなる。
【００２３】
なお既述したカウンタ支持具３と壁４の間及びカウンタ支持具３とワッシャ１７の間の隙間１８の大きさは、想定できる壁４のうねりの大きさを考慮して設定するものであり、即ちうねりがある壁４にカウンタ１を取付けた状態でもカウンタ支持具３と壁４の間及びカウンタ支持具３とワッシャ１７の間の夫々には図１のように隙間１８が形成されるように設定する。また上記カウンタ１の取付構造における各ばね材１６ａ、１６ｂは、カウンタ支持具３の筒部３ａの端部を挿入するだけでカウンタ支持具３に支持しているものであっても良いし、各ばね材１６ａ、１６ｂのフランジ部３ｂ側の端部をカウンタ支持具３に固着するなどしてあっても良い。また本実施形態ではカウンタ支持具３が前方に抜け出ることを防止してカウンタ支持具３の移動範囲を決定するためのストッパ部をワッシャ１７で構成したが、ワッシャ１７を設けず、固着具２の頭部２ｂの外径をカウンタ支持具３の筒部３ａの外径よりも大きくし、該固着具２の頭部２ｂでストッパ部を構成しても良い。
【図面の簡単な説明】
【００２４】
【図１】本発明の実施の形態の一例を示す側断面図である。
【図２】同上のカウンタを取付ける前にカウンタ支持具を壁に取付けた状態を示す側断面図である。
【図３】同上のカウンタの要部拡大図である。
【図４】従来のカウンタ支持具を壁に取付けた状態を示す側断面図である。
【図５】同上のカウンタの後方側からの斜視図である。
【図６】同上のカウンタ支持具をうねりのある壁に取付けた状態を示す平面図である。
【図７】同上のカウンタ支持具をワッシャを用いて壁に取付けた状態を示す平面図である。
【符号の説明】
【００２５】
１  カウンタ
２  固着具
２ａ  軸部
３  カウンタ支持具
６  係合孔
７  貫通孔
８  引掛溝
８ａ  嵌込部
８ｂ  ガイド部
９  ガイド面
１６ａ  ばね材
１６ｂ  ばね材
【図１】
2008029425.tif 000003
【図２】
2008029425.tif 000004
【図３】
2008029425.tif 000005
【図４】
2008029425.tif 000006
【図５】
2008029425.tif 000007
【図６】
2008029425.tif 000008
【図７】
2008029425.tif 000009